(57)【要約】【課題】反射板と基板との間の隙間から光が漏れるのを防止して、効率を改善することができるＬＥＤ照明器具を提供する。【解決手段】ＬＥＤ光源２３を実装した基板２２と、ＬＥＤ光源２３の出射方向に配設された反射板３１との間の隙間２５にスペーサ３４を設けたので、ＬＥＤ光源２３が発した光が隙間２５から漏れるのを防止して、効率を向上させることができる。【選択図】図１
2013222543.tif 000002
【特許請求の範囲】
【請求項１】
ＬＥＤ光源と、
前記ＬＥＤ光源を実装した基板と、
前記ＬＥＤ光源の出射方向に配設された反射板と、を有し、
前記反射板と前記基板との間の隙間にスペーサを設けたＬＥＤ照明器具。
【請求項２】
請求項１に記載のＬＥＤ照明器具において、
前記スペーサは、前記基板に対して弾性を有するＬＥＤ照明器具。
【請求項３】
請求項１または請求項２に記載のＬＥＤ照明器具において、
前記スペーサは、絶縁性を有すると共に熱伝導性が高いＬＥＤ照明器具。
【請求項４】
請求項１ないし請求項３のうちのいずれか１項に記載のＬＥＤ照明器具において、
前記反射板の反射面が金属体であるＬＥＤ照明器具。
【発明の詳細な説明】
【技術分野】
【０００１】
本発明は、ＬＥＤから照射される光を反射板で前方に照射するＬＥＤ照明器具に関するものである。
【背景技術】
【０００２】
従来より、ＬＥＤが発する光を反射板で前方に照射するＬＥＤ照明器具が知られている（例えば、特許文献１参照）。
図４に示すように、特許文献１に記載のＬＥＤ照明器具１００は、略円筒状の器具本体１０１を有し、前面（下面）にＬＥＤユニット１０２を有する。ＬＥＤユニット１０２は、略円板状に形成された基板１０３上に、複数のＬＥＤ１０４が実装されている。器具本体１０１の前端（下端）には、天井に設けられた埋込孔に取り付けるための枠１０５が一体的に設けられている。
ＬＥＤ１０４の前方には、ＬＥＤ１０４の光を所定の方向および範囲に反射する反射板１０６が取り付けられる。
【先行技術文献】
【特許文献】
【０００３】
【特許文献１】特開２０１１−４４３９３号公報（第１図）
【発明の概要】
【発明が解決しようとする課題】
【０００４】
しかしながら、前述したようなＬＥＤ照明器具１００においては、ＬＥＤ１０４が高熱になるため、反射板１０６に金属製を用いる場合がある。この場合、反射板１０６が導電するため、基板１０３との間に隙間１０７を設けて、絶縁を図っている。
このため、反射板１０６と基板１０３との間の隙間１０７から、ＬＥＤ１０４が発した光が漏れて、効率が低下するという問題があった。
【０００５】
本発明は、従来の問題を解決するためになされたもので、反射板と基板との間の隙間から光が漏れるのを防止して、効率を改善することができるＬＥＤ照明器具を提供することを目的とする。
【課題を解決するための手段】
【０００６】
本発明のＬＥＤ照明器具は、ＬＥＤ光源と、前記ＬＥＤ光源を実装した基板と、前記ＬＥＤ光源の出射方向に配設された反射板と、を有し、前記反射板と前記基板との間の隙間にスペーサを設けたものである。
【０００７】
また、本発明のＬＥＤ照明器具においては、前記スペーサは、前記基板に対して弾性を有するものである。
【０００８】
また、本発明のＬＥＤ照明器具においては、前記スペーサは、絶縁性を有すると共に熱伝導性が高いものである。
【０００９】
さらに、本発明のＬＥＤ照明器具においては、前記反射板の反射面が金属体であるものである。
【発明の効果】
【００１０】
本発明は、ＬＥＤ光源を実装した基板と、ＬＥＤ光源の出射方向に配設された反射板との間の隙間にスペーサを設けたので、ＬＥＤ光源が発した光が隙間から漏れるのを防止して、効率を向上させることができるという効果を有するＬＥＤ照明器具を提供できる。
【図面の簡単な説明】
【００１１】
【図１】本発明に係る実施形態のＬＥＤ照明器具の断面図
【図２】反射板ユニットを半分に分割した斜視図
【図３】（Ａ）は基板を取り付けた反射板ユニットの断面図であり、（Ｂ）は（Ａ）中Ｂ部分の拡大図
【図４】従来のＬＥＤ照明器具の断面図
【発明を実施するための形態】
【００１２】
以下、本発明に係る実施形態のＬＥＤ照明器具について、図面を用いて説明する。
図１に示すように、本発明に係る実施形態のＬＥＤ照明器具１０は、例えば天井面（図示省略）に設けられている取付孔（図示省略）に取り付けられて、下方を照明するのに用いることができる。
【００１３】
ＬＥＤ照明器具１０は、器具本体２０を有する。器具本体２０は、下方に開口した円筒形状の筐体２１を有しており、筐体２１の天板２１１の下面には基板２２が取り付けられる。基板２２の下面には、ＬＥＤ（ＬＥＤ光源）２３が実装されている。
また、器具本体２０の上部には、ＬＥＤ２３が発した熱を放出する多数枚の放熱フィン２４が設けられている。
【００１４】
器具本体２０の下側には、反射板ユニット３０が取り付けられる。
図２に示すように、反射板ユニット３０は、中央に、下方に向かって拡径する円錐台形状の反射板３１を有する。反射板３１の反射面３１１は、金属体で形成されている。
すなわち、反射面３１１を金属で形成することができる。あるいは、樹脂で形成した反射板３１の表面に、銀やアルミニウム等の金属を蒸着して反射面３１１を形成することもできる。
【００１５】
反射板３１の下端部には水平方向外向きに延びる円板状の水平板３２が設けられており、水平板３２の外周縁には、上方に延びる強度部材である立壁３３が全周にわたって設けられている。
従って、立壁３３の上端３３１を器具本体２０の筐体２１の天板２１１に取り付けることにより、反射板ユニット３０は器具本体２０に取り付けられる（図１参照）。
【００１６】
図３（Ａ）に示すように、基板２２と反射板３１との間には、反射板３１と基板２２との絶縁を図るため、隙間２５が設けられている。
図３（Ｂ）に示すように、反射板３１の上端には、スペーサ３４が全周（図２参照）にわたって設けられており、隙間２５に充填されている。
【００１７】
スペーサ３４は弾性を有する材質で形成されており、反射板３１と基板２２との間に挿入されて、その弾性により膨張して隙間２５を完全に埋める。
また、スペーサ３４は、絶縁性を有する材質で形成されており、反射板３１と基板２２との絶縁を確保している。
【００１８】
スペーサ３４は、熱伝導性が高い材質で形成されている。
このため、ＬＥＤ２３の発熱により昇温した基板２２の熱は、器具本体２０の放熱フィン２４により放熱するだけでなく、スペーサ３４を介して反射板３１に伝えられる（図１中矢印Ａ１参照）。
【００１９】
反射板３１に伝達された熱は（図１中矢印Ａ２参照）、反射板３１において放熱したり（図１中矢印Ａ３参照）、反射板ユニット３０の水平板３２に伝達される（図１中矢印Ａ４参照）。水平板３２は、放熱したり（図１中矢印Ａ５参照）、立壁３３に熱を伝える。立壁３３に伝えられた熱は、器具本体２０に伝達され（図１中矢印Ａ６参照）、放熱フィン２４等から放熱される。
【００２０】
以上、説明した本発明に係る実施形態のＬＥＤ照明器具１０によれば、ＬＥＤ２３を実装した基板２２と、ＬＥＤ２３の出射方向に配設された反射板３１との間の隙間２５にスペーサ３４を設けた。
このため、ＬＥＤ２３が発した光が隙間２５から漏れるのを防止して、効率を向上させることができる。
【００２１】
また、スペーサ３４は、基板２２に対して弾性を有するので、基板２２と反射板３１との間の隙間２５を完全に塞ぐことができる。
【００２２】
スペーサ３４は、絶縁性を有すると共に熱伝導性が高いので、基板２２と反射板３１との間の絶縁性を確保すると共に、ＬＥＤ２３が発した光により昇温した基板２２の熱をスペーサ３４から反射板３１に逃がすことができる。
【００２３】
反射板３１の反射面３１１が金属体であるので、ＬＥＤ２３が発した光による熱に対して強い。また、放熱性が良好であるので、反射板３１内の温度を低下させることができる。これにより、反射面３１１の金属体の寿命が延びる。
【００２４】
なお、本発明のＬＥＤ照明器具は、前述した実施形態に限定されるものでなく、適宜な変形、改良等が可能である。
【符号の説明】
【００２５】
１０  ＬＥＤ照明器具
２２  基板
２３  ＬＥＤ（ＬＥＤ光源）
２５  隙間
３１  反射板
３１１  反射面
３４  スペーサ
【図１】
2013222543.tif 000003
【図２】
2013222543.tif 000004
【図３】
2013222543.tif 000005
【図４】
2013222543.tif 000006